(57)【要約】  【課題】  円滑な振出形式の竿体同士の嵌着及びその解除を可能とし、且つ、嵌着力の長期の維持をも可能となる釣竿を提供する。  【解決手段】  元竿１と中竿２とは振出形式に連結され、元竿１の穂先側端部内周には嵌合雌部Ｘが、中竿２の竿元側端部外周には嵌合雄部Ｙが形成される。  元竿１の嵌合雌部Ｘは、穂先側に形成される軸長方向に於いて竿元側ほど拡径化するテーパ雌部１０と、テーパ雌部１０の竿元側に隣接して形成される軸長方向に於いて内径の変化しないストレート雌部１１とを有する。中竿２の嵌合雄部Ｙは、穂先側に形成されるテーパ雌部１０に嵌着可能なテーパ雄部１３と、テーパ雄部１３に隣接して形成されるストレート雌部１１に嵌着可能なストレート雄部１４とを有する。このストレート雄部１４には竿元側端縁から軸長方向に割りが形成され、その周面には潤滑剤などが塗布される。【選択図】      図２
2005261336.tif 000002
【特許請求の範囲】
【請求項１】
穂先側端部内周に嵌合雌部を有する第１竿体と、竿元側端部外周に嵌合雄部を有し前記第１竿体内に穂先側に出入自在に振出形式で連結される第２竿体とを備え、
前記第１竿体の穂先側端部内周の嵌合雌部は、穂先側に形成される軸長方向に於いて竿元側ほど拡径化するテーパ雌部と、前記テーパ雌部の竿元側に隣接して周方向の少なくとも一部に形成される軸長方向に於いて内径の変化しないストレート雌部とを有し、
前記第２竿体の竿元側端部外周の嵌合雄部は、穂先側に形成される前記テーパ雌部に嵌着可能なテーパ雄部と、前記テーパ雄部に隣接して配置される前記ストレート雌部に当接可能な当接部材とを有し、
前記第１竿体内から前記第２竿体を引き出してゆくと、前記嵌合雄部の当接部材が前記嵌合雌部のストレート部分に当接し、前記テーパ雌部と前記テーパ雄部とが嵌着するまでの間に両者が継続的に当接している、釣竿。
【請求項２】
前記第２竿体の竿元側の外周面の嵌合雄部は、穂先側に形成される前記テーパ雌部に嵌着可能なテーパ雄部と、前記テーパ雄部に隣接して形成される前記ストレート雌部に当接可能なストレート部分とを有し、前記ストレート部分が前記当接部材であり、前記ストレート部分には前記第２竿体の竿元側端縁から軸長方向に割りが形成されている、請求項１に記載の釣竿。
【請求項３】
前記第２竿体の嵌合雄部のストレート部分の外周面には潤滑剤が塗布されている、請求項２に記載の釣竿。
【請求項４】
前記第２竿体の竿元側の外周面の嵌合雄部は、穂先側に形成される前記テーパ雌部に嵌着可能なテーパ雄部と、前記テーパ雄部に隣接して形成されるストレート部分とを有し、
前記第２竿体の竿元側の外周面の嵌合雄部のストレート部分の周面には径方向に出入可能な弾性体が配置され、前記弾性体が前記当接部材である、請求項１に記載の釣竿。
【請求項５】
前記第２竿体の竿元側の外周面の嵌合雄部のストレート部分の周面には全周に凹溝が形成されており、前記凹溝内に弾性体が収納されている、請求項４に記載の釣竿。
【請求項６】
前記第２竿体の竿元側の外周面の嵌合雄部のストレート部分の周面には全周に凹溝が形成されており、前記凹溝内にゴムリングが収納されており、前記ゴムリングが前記弾性体である、請求項４に記載の釣竿。
【請求項７】
前記嵌合雄部のストレート部分の周面には周方向に並んで複数箇所に弾性塗料がディッピングされており、前記弾性塗料により前記弾性体が形成され、周方向に並んだ複数の弾性体からなる弾性体群が形成されている、請求項４に記載の釣竿。
【請求項８】
前記周方向に並んだ弾性体からなる弾性体群に加え、前記嵌合雄部のストレート部分の周面には軸長方向に変位してさらに別の弾性体群が形成されている、請求項７に記載の釣竿。
【請求項９】
前記弾性体群を構成する弾性体と前記別の弾性体群を構成する弾性体とは、周方向においても変位している、請求項８に記載の釣竿。
【請求項１０】
前記第２竿体の竿元側の外周面の嵌合雄部は、穂先側に形成される前記テーパ雌部に嵌着可能なテーパ雄部と、前記テーパ雄部に隣接して形成されるストレート部分とを有し、
前記第２竿体の嵌合雄部のストレート部分には、前記第２竿体の竿元側端縁から軸長方向に割りが周方向に並んで複数箇所に形成されており、前記周方向に並んだ割りの間の前記ストレート部分の周面には径方向に出入可能な弾性体が配置され、前記弾性体が前記当接部材である、請求項１に記載の釣竿。
【請求項１１】
前記第２竿体の竿元側の外周面の嵌合雄部は、穂先側に形成される前記テーパ雌部に嵌着可能なテーパ雄部と、前記テーパ雄部に隣接して形成される径方向断面が非円形化された部分とを有し、前記非円形化された部分はその周方向の少なくとも一部が前記当接部材である、請求項１に記載の釣竿。
【請求項１２】
前記第２竿体の嵌合雄部はボロン繊維または金属繊維に合成樹脂を含浸させたプリプレグ素材から形成されている、請求項１〜１１の何れかに記載の釣竿。
【請求項１３】
穂先側端部内周に嵌合雌部を有する第１竿体と、竿元側端部外周に嵌合雄部を有し前記第１竿体内に穂先側に出入自在に振出形式で連結される第２竿体とを備え、
前記第１竿体の穂先側端部内周の嵌合雌部は、周方向の少なくとも一部に形成される穂先側端部から軸長方向に於いて内径の変化しないストレート雌部と、前記ストレート雌部の竿元側に隣接して形成される軸長方向に於いて竿元側ほど拡径化するテーパ雌部とを有し、
前記第２竿体の竿元側端部外周の嵌合雄部は、竿元側に形成される前記テーパ雌部に嵌着可能なテーパ雄部と、前記テーパ雄部の穂先側に隣接して配置される前記ストレート雌部に当接可能な当接部材とを有し、
前記第１竿体内から前記第２竿体を引き出してゆくと、前記嵌合雄部の当接部材が前記嵌合雌部のストレート雌部に当接し、前記テーパ雌部と前記テーパ雄部とが嵌着するまでの間に両者が継続的に当接している、釣竿。
【請求項１４】
前記第１竿体の嵌合雌部のストレート雌部には、前記第１竿体の穂先側端縁から軸長方向に割りが形成されている、請求項１３に記載の釣竿。
【発明の詳細な説明】
【技術分野】
【０００１】
本発明は、複数の竿体を連結して構成される釣竿、特に、穂先側に配置される竿体を順次竿元側の竿体内に収納可能なように、竿体同士を振出形式で連結する釣竿に関する。
【背景技術】
【０００２】
近時の釣竿の多くは、複数の竿体を連結して一本の長い釣竿として用いられる。このような竿体同士の連結手法の１つとして、振出形式と呼ばれるものがある。この方式は、竿元側に位置する太径の竿体の穂先側端部内周面を嵌合雌部とし、穂先側に位置する小径の竿体の竿元側端部外周面を嵌合雄部とし、小径の竿体を太径の竿体内に穂先側に出し入れ自在に収納した状態で、嵌合雄部を嵌合雌部に挿入し相互に嵌着させるものである。
【０００３】
このような振出形式という竿体の連結手法を採用する場合、竿体同士を嵌着させ連結させた場合の安定性を向上させるために、あわせ部分の精密な径の調整が必要とされる。もっとも、精密な径調整を図っても、釣竿の繰り返しの使用により嵌着部分が摩耗し、両者の嵌合力が低下して緩みが生じ、様々な問題が生じ得る。
【０００４】
そこで、このような竿体同士の嵌着力を維持するべく様々な努力が為されている。例えば、繰り返しの使用に伴う嵌着部分の摩耗を回避し長期に渡って嵌合力を維持するべく、嵌合部分に耐摩耗性を向上させるような工夫が考えられる。例えば、嵌合部分にポリエステル系のプリプレグ素材等を積層する技術が提案されている（特許文献１参照）。
【０００５】
さらに、このような嵌合力の低下に伴う別の問題としては、小径竿体を太径竿体内に収納しようとする際に、小径竿体の太径竿体内への急激な落下などを招くということがある。そこで、竿元側に位置する太径の竿体の嵌合部分の竿元側の内周面に、押圧部を形成し、小径の竿体を太径竿体内に収納しようとする場合に、小径竿体の嵌合部分が押圧部に当たり、急激に小径竿体が太径竿体内に収納されないようにする技術等が提案されている（特許文献２参照）。
【特許文献１】特開2002-101790号公報
【特許文献２】実用新案登録第2599143号公報
【発明の開示】
【発明が解決しようとする課題】
【０００６】
このように、振出形式の釣竿の竿体同士の連結に関しては様々な開発研究が為されている。しかし、嵌合力を向上させるべく竿体同士の径を精密に調整し、且つ、嵌合する面同士の耐久性や耐摩耗性などを向上させてゆくと、竿体同士を嵌着させて連結する際の、操作性が損なわれる恐れがある。
【０００７】
即ち、過度に竿体同士の嵌着部分を精密化し嵌合力の向上維持を図ると、竿体同士を嵌着させようとして小径竿体を太径竿体の穂先側に引き出してゆくと、突然、ある位置で両竿体が嵌着してしまう。このような突然の両者の嵌着は、竿体同士の嵌着がどの時点で生じるのかに関しユーザに予見可能性を与えない。予見可能性を与えられないユーザは、嵌着操作時において勢いよく小径竿体を太径竿体から引き出し、両者を過度に嵌着させ固着させてしまう恐れもある。
【０００８】
また、竿体同士の嵌着を解除する際にも、いずれの時点で竿体同士の嵌着が解除されるのかに関しユーザに予見可能性が与えられない。このため、ユーザは嵌着の解除操作時に於いて小径竿体を勢いよく太径竿体内に押し込み、竿体を痛めてしまう恐れもある。
【０００９】
この点、上記特許文献２の技術によれば、嵌着の解除操作時に於ける問題は解決し得るようにも思える。しかし、上記特許文献２の技術は、嵌合部分に関与しない押圧部分で小径竿体の太径竿体内への急激な落下を抑えるに過ぎず、竿体同士の嵌着及びその解除操作において、ユーザに予見可能性を与えるものではない。また、当該部分は竿体同士の嵌着に何ら関与しておらず、竿体同士の嵌着の安定性や嵌着操作性の向上を図るものではない。
【００１０】
本発明は、円滑な振出形式の竿体同士の嵌着及びその解除を可能とし、且つ、嵌着力の長期の維持をも可能となる釣竿を提供するものである。
【課題を解決するための手段】
【００１１】
本発明の釣竿は、穂先側端部内周に嵌合雌部を有する第１竿体と、竿元側端部外周に嵌合雄部を有し第１竿体内に穂先側に出入自在に振出形式で連結される第２竿体とを備えている。この第１竿体の穂先側端部内周の嵌合雌部は、穂先側に形成される軸長方向に於いて竿元側ほど拡径化するテーパ雌部と、テーパ雌部の竿元側に隣接して周方向の少なくとも一部に形成される軸長方向に於いて内径の変化しないストレート雌部とを有する。また、第２竿体の竿元側端部外周の嵌合雄部は、穂先側に形成されるテーパ雌部に嵌着可能なテーパ雄部と、テーパ雄部に隣接して配置されるストレート雌部に当接可能な当接部材とを有している。そして、第１竿体内から第２竿体を引き出してゆくと、嵌合雄部の当接部材が嵌合雌部のストレート部分に当接し、テーパ雌部とテーパ雄部とが嵌着するまでの間に両者が継続的に当接している。
【００１２】
この釣竿では、第１竿体内から穂先側に第２竿体を引き出してゆくと、まず、第１竿体の嵌合雌部のストレート雌部と嵌合雄部の当接部材とが接触する。嵌合雌部のストレート雌部は軸長方向において内径の変化しない領域であり、第２竿体の引き出しに伴い連続的に比較的低廉な嵌着力を継続的に演出する。その後、第１竿体の嵌合雌部のテーパ雌部と嵌合雄部のテーパ雄部とが接触し、両者のテーパが一致した状態で、両者が十分な嵌合力を演出する。また、第１竿体内に穂先側の第２竿体を収納して両者の嵌着を解除する際には、逆に、まず第１竿体の嵌合雌部のテーパ雌部と嵌合雄部のテーパ雄部との接触が解除される。その際にも、ストレート雌部は当接部材に暫く継続的に嵌着乃至当接しており、スムーズに両竿体は摺動し、比較的低廉な嵌着力を演出する。
【００１３】
このような過程を経て竿体同士を嵌着させることで、操作時にユーザは竿体同士が完全に嵌着しその位置が固定されることを事前に予見でき、かかる操作を円滑に為し得ることになる。即ち、強固な嵌着力が生じる前に緩衝的に嵌着力を生じせしめることができるのである。もっとも、両竿体が完全に嵌着する際に於いて、当接部分及びストレート雌部も一定の嵌合力を演出し、竿体同士の嵌着時の安定性も向上している。逆に、嵌着の解除に際しても、同様にユーザは強固な嵌着の解除を予見でき、かかる操作を円滑に為し得ることになる。
【００１４】
また、本発明のある釣竿においては、第２竿体の竿元側の外周面の嵌合雄部は、穂先側に形成されるテーパ雌部に嵌着可能なテーパ雄部と、テーパ雄部に隣接して形成されるストレート雌部に当接可能なストレート部分とを有し、ストレート部分が当接部材であり、ストレート部分には第２竿体の竿元側端縁から軸長方向に割りが形成されている。
【００１５】
この釣竿においては、両竿体の連結又はその解除作業において、嵌合雄部のストレート部分が嵌合雌部のストレート雌部と継続的に嵌着乃至当接している。このストレート部分には割りが形成されており径方向の弾性が向上されており、スムーズにストレート部分はストレート雌部に嵌着乃至当接して摺動する。また、過度な両者の摩耗も防止される。さらに、第２竿体の嵌合雄部のストレート部分の外周面には潤滑剤を塗布してもよい。この場合には、過度の摩耗が防止され且つ低廉で継続的なストレート部分とストレート雌部との当接乃至嵌着を演出できる。
【００１６】
また、本発明の別の釣竿においては、第２竿体の竿元側の外周面の嵌合雄部は、穂先側に形成されるテーパ雌部に嵌着可能なテーパ雄部と、テーパ雄部に隣接して形成されるストレート部分とを有し、第２竿体の竿元側の外周面の嵌合雄部のストレート部分の周面には径方向に出入可能な弾性体が配置される。この弾性体が当接部材である。この場合には、当接部材を弾性体とすることで、過度の摩耗が防止され且つ低廉で継続的な当接部材とストレート雌部との当接乃至嵌着を演出できる。例えば、第２竿体の竿元側の外周面の嵌合雄部のストレート部分の周面には全周に凹溝を形成し、凹溝内に弾性体を収納してもよい。さらには、第２竿体の竿元側の外周面の嵌合雄部のストレート部分の周面には全周に凹溝が形成され、この凹溝内にゴムリングが収納されるものとしてもよい。この場合には、このゴムリングが弾性体である。
【００１７】
上述の本発明の別の釣竿は、嵌合雄部のストレート部分の周面には周方向に並んで複数箇所に弾性塗料がディッピングされており、弾性塗料により弾性体が形成され、周方向に並んだ複数の弾性体からなる弾性体群が形成されているものとしてもよい。ディッピングにより容易に複数の弾性体からなる弾性体群を形成できる。
【００１８】
さらに、この周方向に並んだ弾性体からなる弾性体群に加え、嵌合雄部のストレート部分の周面には軸長方向に変位してさらに別の弾性体群を形成してもよい。ここでは、弾性体群を構成する弾性体と別の弾性体群を構成する弾性体とは、周方向においても変位しているようにするのがさらに好ましい。このような弾性体群を形成し、継続的な当接部材である弾性体からなる弾性体群とストレート雌部との当接乃至嵌着を演出すると、その当接乃至嵌着時に不当なきしみ音が発生しにくくなる。
【００１９】
本発明のさらに別の釣竿は、第２竿体の竿元側の外周面の嵌合雄部は、穂先側に形成されるテーパ雌部に嵌着可能なテーパ雄部と、テーパ雄部に隣接して形成されるストレート部分とを有している。そして、第２竿体の嵌合雄部のストレート部分には、第２竿体の竿元側端縁から軸長方向に割りが周方向に並んで複数箇所に形成されており、周方向に並んだ割りの間のストレート部分の周面には径方向に出入可能な弾性体が配置され、前記弾性体が当接部材である。
【００２０】
この釣竿においては、両竿体の連結又はその解除作業において、嵌合雄部のストレート部分の周面の弾性体が、当接部材として嵌合雌部のストレート雌部と継続的に嵌着乃至当接している。このストレート部分には割りが形成されており径方向の弾性が向上されており、スムーズにストレート部分はストレート雌部に嵌着乃至当接して摺動する。また、過度な両者の摩耗も防止される。さらに、弾性体自体も寄与して径方向の弾性が向上されており、スムーズにストレート部分はストレート雌部に嵌着乃至当接して摺動する。
【００２１】
また、本発明のさらに別の釣竿においては、第２竿体の竿元側の外周面の嵌合雄部は、穂先側に形成されるテーパ雌部に嵌着可能なテーパ雄部と、テーパ雄部に隣接して形成される径方向断面が非円形化された部分とを有するものである。この非円形化された部分はその周方向の少なくとも一部が当接部材となる。嵌合雄部の一部の断面形状を非円形化することで、この部分とストレート雌部との固着が防止される。
【００２２】
なお、第２竿体の嵌合雄部はボロン繊維または金属繊維に合成樹脂を含浸させたプリプレグ素材から形成してもよい。このような強化繊維を利用したプリプレグを用いることで、長期の使用に伴う嵌合雄部の摩耗が抑えられる。
【００２３】
本発明の別の釣竿は、穂先側端部内周に嵌合雌部を有する第１竿体と、竿元側端部外周に嵌合雄部を有し第１竿体内に穂先側に出入自在に振出形式で連結される第２竿体とを備えている。この第１竿体の穂先側端部内周の嵌合雌部は、周方向の少なくとも一部に形成される穂先側端部から軸長方向に於いて内径の変化しないストレート雌部と、ストレート雌部の竿元側に隣接して形成される軸長方向に於いて竿元側ほど拡径化するテーパ雌部とを有する。また、第２竿体の竿元側端部外周の嵌合雄部は、竿元側に形成されるテーパ雌部に嵌着可能なテーパ雄部と、テーパ雄部の穂先側に隣接して配置されるストレート雌部に当接可能な当接部材とを有する。そして、第１竿体内から第２竿体を引き出してゆくと、嵌合雄部の当接部材が嵌合雌部のストレート雌部に当接し、テーパ雌部とテーパ雄部とが嵌着するまでの間に両者が継続的に当接している。
【００２４】
この釣竿も、既に述べた上述の釣竿と同様に利用される。この際、第１竿体の嵌合雌部のストレート雌部には、第１竿体の穂先側端縁から軸長方向に割りが形成されてもよい。
【発明の効果】
【００２５】
本発明の釣竿によれば、円滑に振出形式の竿体同士の嵌着及びその解除を為すことが可能である。
【発明を実施するための最良の形態】
【００２６】
［第１実施形態］
本発明に関する釣竿の１つにつき、図面を参酌しつつ説明する。
【００２７】
図１に示すように、この釣竿は、元竿１と、元竿１の穂先側に振出形式で連結されている中竿２，穂先竿３から構成されている。穂先側に配置される竿体は順次竿元側に配置されている太径の竿体内に収納可能である。なお、竿体の本数はこれに限定されるものではなく、任意に設定可能である。各竿体は、強化繊維の合成樹脂を含浸させたプリプレグ素材を焼成して形成した先細りテーパの施された管状体である。元竿１の竿元側端部には尻栓４が脱着自在に取り付けられており、この尻栓４を取り外すことで、穂先側には位置されている各竿体を竿元側から引き出して、取り外すことができる。また、穂先竿３の穂先側端部には、釣糸Ｌを連結するための釣糸連結部５が形成されている。
【００２８】
次に、各竿体の連結部分について、元竿１と中竿２を例に説明する。
（元竿１について）
図２及び図３に詳しく示すように、元竿１は全体として穂先側が小径化するようなテーパの施された管状体である。その穂先側の内周面は、中竿２との連結のための嵌合雌部Ｘとなっている。詳しくは、嵌合雌部Ｘは、元竿１の穂先側端縁から竿元側ほどその内径において太径化するテーパ雌部１０と、テーパ雌部１０の竿元側に連続して形成されているストレート雌部１１とからなる。ストレート雌部１１は軸長方向においてその径が変化しない部分である。
【００２９】
テーパ雌部１０は、元竿１の穂先側端部から、元竿１の穂先側の外径の数倍程度の軸方向長さに渡る領域に於いて形成されている。ストレート雌部１１は軸長方向に於いてその内径が変化しない部分である。ストレート雌部１１の軸長方向長さは上述のテーパ雌部１０の軸方向長さと同等乃至やや短い程度である。このようなテーパ雌部１０及びストレート雌部１１を有する元竿は、例えば、以下のように製造する。
【００３０】
即ち、図４に模式的に示すように、軸長方向全体に渡り先細りテーパが施され、且つ、その穂先側の一定の領域に於いて径の変化しない部分を有する芯材２０を準備する。このような芯材２０においては、穂先側の一定の領域に於いて径の変化しない部分の竿元側の端部は曲面として於くのが好ましい（図４のＺ部分参照）。
【００３１】
このような芯材２０の周面に必要に応じて離型材等を塗布し、プリプレグ素材２１を巻回する。プリプレグ素材２１は炭素繊維等の強化繊維を引き揃えた上で合成樹脂を含浸させたものである。プリプレグ素材２１としては、図４に示すようなシート状のものに加えて、テープ状に加工したプリプレグ素材を組み合わせて利用する。また、特に、芯材２０の穂先側においては、補助用のプリプレグ素材２２をさらに巻回してもよい。この際、強化繊維の配向方向が異なるプリプレグ素材を利用する。必要なプリプレグ素材２１を芯材２０に巻回した後に、最外層に形成テープなどを保護・形成用にさらに巻回し、炉内に於いてこれらを焼成し、プリプレグ素材を固化一体化させる。そして、芯材２０を太径側に引き抜き、管状体を得る。このようにして得られる管状体は、穂先側の内周面に於いて径の変化しないストレート雌部を有するもの元竿１として利用できる。特に、このような芯材２０を利用すれば、ストレート雌部１１の竿元側の端部が曲面となり、元竿１の内部から穂先側に中竿２を出し入れするに際して、ストレート雌部の竿元側の端部に中竿２が引っ掛かってしまうことを抑えることもできる。
（中竿２について）
図２及び図３に示すように、中竿２も全体として先細りテーパの施された管状体である。その竿元側端部の外周には嵌合雄部Ｙが形成されている。嵌合雄部Ｙは、他の部分に比較して一段太径化した部分である。このような嵌合雄部Ｙは、例えば、上述の元竿１に於いて説明したようにプリプレグ素材を芯材に巻回し焼成して元上竿２を製造するに当たり、竿元側の部分に嵌合雄部Ｙを形成するための補助プリプレグを巻回して形成できる。このような補助プリプレグとしては、ボロン繊維または金属繊維に合成樹脂を含浸させたプリプレグ素材を利用してもよい。このような繊維を利用したものを利用することで、嵌合雄部Ｙの耐摩耗性が向上する。
【００３２】
この嵌合雄部Ｙは、詳しくは、穂先側に形成されるテーパ雌部１０に嵌着可能なテーパ雄部１３と、テーパ雄部１３に隣接して形成されストレート雌部１１に嵌着可能なストレート部分１４とからなる。テーパ雄部１３のテーパ率は上述のテーパ雌部１０のものと合致するように調整されている。ストレート部分１４はその外径をストレート雌部１１の内径に合致するように調整されており、軸長方向において径の変化しない部分である。この嵌合雄部Ｙのストレート部分１４には、中竿２の竿元側端部（即ち、ストレート部分１４の竿元側端部）から軸長方向に割りが形成されている。割りは一カ所のみ形成しても良い。もっとも、周方向に間隔を隔てて複数の割りが形成されるようにしてもよい。なお、このストレート部分１４の外周面には潤滑剤をさらに塗布してもよい。潤滑剤としては、例えば、テフロン（登録商標）加工等を施すことも含む。
【００３３】
ここでは、元竿１と中竿２の嵌合雌部Ｘと嵌合雄部Ｙとに関して説明したが、中竿２と穂先竿３との連結部分においても、同様の構造を採用している。
【００３４】
以上のような釣竿は、元竿１の内部に収納される中竿２，穂先竿３を順次穂先側に引き出し、各竿体の嵌合雌部Ｘと嵌合雄部Ｙとを嵌着させて、一本の釣竿として用いられることになる。このような各竿体の連結時においては、各連結部分は以下のようになっている。例えば、中竿２を元竿１の穂先側に引き出してゆくと、まず、元竿１の嵌合雌部Ｘのストレート雌部１１と嵌合雄部Ｙのストレート部分１４とが接触する（図３参照）。両者は軸長方向において内径の変化しない領域であり、中竿２の引き出しに伴い連続的に比較的低廉な嵌着力が演出される。また、このストレート部分１４には割りが形成されており径方向の弾性乃至寸法吸収性が向上されており、スムーズにストレート部分１４はストレート雌部１１に嵌着乃至当接して摺動する。また、このストレート部分１４に潤滑剤を塗布すれば、さらに過度な両者の摩耗も防止される。その後、元竿１の嵌合雌部Ｘのテーパ雌部１０と嵌合雄部Ｙのテーパ雄部１３とが接触し、両者のテーパが一致した状態で、両者が十分な嵌合力を演出する（図２参照）。
【００３５】
一方、元竿１内に中竿２を収納して両者の嵌着を解除する際には、逆に、まず元竿１の嵌合雌部Ｘのテーパ雌部１０と嵌合雄部Ｙのテーパ雄部１３との接触が解除される。その際にも、嵌合雄部Ｙのストレート部分１４は嵌合雌部Ｘのストレート雌部１１に嵌着乃至当接しており、スムーズに両竿体は摺動し、比較的低廉な嵌着力を演出している。
【００３６】
さらに、中竿２と穂先竿３とにおいても同様の操作が行われることになる。
このような過程を経て竿体同士を嵌着させることで、操作時にユーザは竿体同士が完全に嵌着しその位置が固定されることを事前に予見でき、かかる操作を円滑に為し得ることになる。また、両竿体が完全に嵌着する際に於いて、ストレート部分１４及びストレート雌部１３も一定の嵌合力を演出し、竿体同士の嵌着時の安定性も向上している。嵌着の解除に際しても、同様にユーザは嵌着解除を予見でき、かかる操作を円滑に為し得ることになる。
【００３７】
［第２実施形態］
中竿の嵌合雄部Ｙの変形例を以下に示す。
【００３８】
図５に示すように、中竿２２も全体として先細りテーパの施された管状体である。その竿元側端部の外周には嵌合雄部Ｙが形成されている。嵌合雄部Ｙは、他の部分に比較して一段太径化した部分である。そして、この嵌合雄部Ｙも、穂先側に形成されるテーパ雄部２３と、テーパ雄部２３に隣接して形成されたストレート部分２４とからなる。
【００３９】
このストレート部分２４にはその周面に複数の小円型の塗装がランダムに施されている。例えば、このような塗装は、エポキシ樹脂，ウレタン樹脂等のような塗料より行われる。ディッピング、シールによる貼り付けなどその手法は任意に選択可能である。塗装される小円型の部分の高さは0.01〜0.15ｍｍ程度である。例えば、金属系の塗料を用いれば意匠性にも優れたものとなる。
【００４０】
このようなストレート部分２４を利用すると、ストレート部分２４と元竿１のストレート雌部との接触面積が小さくなり、スムーズに両竿体は摺動し、比較的低廉な嵌着力を演出できる。また、ゴム系の塗料を利用すれば、さらに寸法吸収性にも優れる。
【００４１】
［第３実施形態］
図６及び図７に示すように、中竿の嵌合雄部のストレート部分３４の周面に於いて曲面部分３４ａと平面部分３４ｂとが周方向に交互に配置されるようにして、その周方向断面を非円形に加工してもよい。このような平面部分の形成は、ストレート雄部３４を上述のような製法で形成した後に、その周面を部分的に平面状に削り取って形成することもできる。
【００４２】
このようなストレート雄部３４を利用しても、中竿２の嵌合雄部のストレート雄部３４と元竿１のストレート雌部との接触面積が小さくなり、スムーズに両竿体は摺動し、比較的低廉な嵌着力を演出できる。
【００４３】
［第４実施形態］
上記第１実施形態の元竿の変形例を図８に示す。
【００４４】
図８に詳しく示すように、元竿５１は全体として穂先側が小径化するようなテーパの施された管状体である。その穂先側の内周面は、元上竿５２との連結のための嵌合雌部Ｘとなっている。詳しくは、嵌合雌部Ｘは、元竿５１の穂先側端縁から竿元側ほど太径化するテーパ雌部６０と、テーパ雌部６０の竿元側に連続して形成されているテーパ面部分６１とストレート面部分（ストレート雌部）６２とからなる。テーパ面部分６１とストレート面部分（ストレート雌部）６２とは同じ軸方向領域において周方向に於いて交互に並んで形成されている（図９参照）。
【００４５】
図９に示すように、テーパ面部分６１は周方向に於いて等間隔に離れた３つの領域において、軸長方向に延びている。このテーパ面部分６１は、基本的には、嵌合雌部Ｘのテーパ雌部６０に連続するテーパ面である。また、ストレート面部分（ストレート雌部）６２は、このテーパ面部分６１の間に周方向に並んで形成される３つの部分である。このストレート面部分（ストレート雌部）６２は軸長方向に於いてその内径が変化しない部分である。このストレート面部分（ストレート雌部）６２の製造方法については後述する。
【００４６】
なお、この元竿５１においては、テーパ面部分６１とストレート面部分６２とを３カ所ずつ形成しているが、その数は任意に設定可能である。
【００４７】
次に、この元竿５１の製造方法の一例を示す。
図１０に示すように、所定の先細りテーパの施された芯材６５を準備する。この芯材２６５の穂先側においては、その外周面の一部が切り欠かれて軸長方向に於いて径の変化しない面が形成されている。この径の変化しない面は周方向に間隔を隔てて、必要な数だけ形成される。このような芯材６５の周面に必要に応じて離型材等を塗布し、プリプレグ素材２１を巻回する。プリプレグ素材２１は上述の実施形態と同種のものである。
【００４８】
必要なプリプレグ素材２１を芯材６５に巻回した後に、最外層に形成テープなどを保護・形成用にさらに巻回し、炉内に於いてこれらを焼成し、プリプレグ素材を固化一体化させる。そして、芯材６５を太径側に引き抜き、管状体を得る。この際、芯材６５の穂先側の周面の一部分は径の変化しない部分となっているが、太径側に芯材６５を引き抜くことは可能である。このようにして、穂先側の内周面の周方向の一部に径の変化しない部分を有し、他の部分は先細りテーパが施されている管状体を得る。
【００４９】
このような元竿５１を利用すれば、ストレート雌部６２と中竿のストレート部分との接触面積が低減し、ストレート雌部を全周方向に形成した場合に比較して、相互の当接乃至嵌合が緩やかになり、摩耗なども生じ難にくく、固着も生じ難い。
【００５０】
［第５実施形態］
さらに別の中竿の変形例を図１１に示す。この中竿７２も全体として先細りテーパの施された管状体である。その竿元側端部の外周には嵌合雄部Ｙが形成されている。嵌合雄部Ｙは、他の部分に比較して一段太径化した部分である。このような嵌合雄部Ｙの上記実施形態と同様に、竿元側の部分に嵌合雄部Ｙを形成するための補助プリプレグを巻回して形成できる。特に、嵌合雄部Ｙの竿元側端部の10ｍｍ程度の領域においては、特殊な補助プリプレグを利用してもよい。この特殊な補助プリプレグとは、周方向に強化繊維が配向されていない軸長方向のみに強化繊維が配向されたものを利用する。
【００５１】
なお、元竿は上記第１実施形態と同様の元竿１を利用する。
中竿７２のこの嵌合雄部Ｙは、詳しくは、元竿１の穂先側に形成されるテーパ雌部１０に嵌着可能なテーパ雄部７３と、テーパ雄部７３に隣接して形成されるストレート部分７４とからなる。テーパ雄部７３のテーパ率は上述の元竿１のテーパ雌部１０のものと合致するように調整されている。ストレート部分７４はその外径をストレート雌部１１の内径に比較して小さく調整され、軸長方向において径の変化しない部分である。この嵌合雄部Ｙのストレート部分７４には、その周面に全周にわたって周方向に凹溝が形成されている。そして、この凹溝内にゴムリング７５が収納されている。ここでは、ゴムリング７５を利用しているが、これに代えて、セラミックスなどの硬質部材からなるリングを利用してもよい。これらのゴムリング７５などの外径は元竿１のストレート雌部１１の内径に合わせて調整している。
【００５２】
このような中竿７２を利用する場合、中竿７２を元竿１の穂先側に引き出してゆくと、まず、元竿１の嵌合雌部Ｘのストレート雌部１１と嵌合雄部Ｙのストレート部分７４の周面にゴムリング７５が接触する。これにより、中竿７２の引き出しに伴い連続的に比較的低廉な嵌着力が演出される。そして、スムーズにストレート部分７４乃至ゴムリング７５はストレート雌部１１に嵌着乃至当接して摺動する。セラミックスリングを利用すれば、さらに過度な両者の摩耗も防止される。その後、元竿１の嵌合雌部Ｘのテーパ雌部１０と嵌合雄部Ｙのテーパ雄部７３とが接触し、両者のテーパが一致した状態で、両者が十分な嵌合力を演出する。
【００５３】
一方、元竿１内に中竿２を収納して両者の嵌着を解除する際には、逆に、まず元竿１の嵌合雌部Ｘのテーパ雌部１０と嵌合雄部Ｙのテーパ雄部７３との接触が解除される。その際にも、嵌合雄部Ｙのストレート部分７４の周面のゴムリング７５は嵌合雌部Ｘのストレート雌部１１に嵌着乃至当接しており、スムーズに両竿体は摺動し、比較的低廉な嵌着力を演出する。
【００５４】
［第６実施形態］
本発明に関する別の釣竿の元竿８１と中竿８２とについて、図１２及び図１３を参酌しつつ説明する。この釣竿も、上述の各実施形態と同様に、元竿８１と、元竿８１の穂先側に振出形式で連結されている中竿８２と、その余の竿体から構成されている。
【００５５】
元竿８１は全体として穂先側が小径化するようなテーパの施された管状体である。もっとも、その穂先側の端部から軸長方向に一定の領域においては軸長方向において外径及び内径ともに変化しないストレート部分が形成されている。そして、このようなストレート部分及びその竿元側のテーパの施されている部分の内周面の一部は、中竿８２との連結のための嵌合雌部Ｘとなっている。即ち、嵌合雌部Ｘは、元竿８１の穂先側端縁から竿元側にかけて径の変化しないストレート雌部９０と、ストレート雌部９０の竿元側に連続してその内径において竿元側ほど太径化するテーパ雌部９１とからなる。この嵌合雌部Ｘのストレート雌部９０には、元竿８１の穂先側端部（即ち、ストレート雌部９０の穂先側端部）から軸長方向に割りが形成されている。割りは一カ所のみ形成しても良い。もっとも、周方向に間隔を隔てて複数の割りが形成されるようにしてもよい。
【００５６】
中竿８２も全体として先細りテーパの施された管状体である。その竿元側端部の外周には嵌合雄部Ｙが形成されている。嵌合雄部Ｙは、他の部分に比較して一段太径化した部分を含む。このような嵌合雄部Ｙは、上記実施形態と同様である。即ち、この嵌合雄部Ｙは、穂先側部分９２と竿元側部分９３とからなる。詳しくは、穂先側部分９２は、穂先側に形成される軸長方向において外径の変化しない部分，又は殆ど軸長方向において外径の変化しない部分，若しくは竿元側ほど外径が太径化する部分である。竿元側部分９３は、穂先側部分９２の竿元側に一段太径化して形成される部分であり、竿元側ほど外径が太径化する部分である。この竿元側部分９３は、上述のテーパ雌部９１に嵌着可能なように径が調整されている。
【００５７】
中竿８２の嵌合雄部Ｙの穂先側部分の周面には全周にわたって周方向に凹溝が形成されている。そして、この凹溝内にゴムリング９４が収納されている。このゴムリング９４の外径は、上述の元竿８１の嵌合雌部Ｘのストレート雌部９０の内径に合わせて調整している。
【００５８】
以上のような釣竿は、元竿８１の内部に収納されている中竿８２等を順次穂先側に引き出し、各竿体の嵌合雌部Ｘと嵌合雄部Ｙとを嵌着させて、一本の釣竿として用いられることになる。このような各竿体の連結時においては、各連結部分は以下のようになっている。例えば、中竿８２を元竿８１の穂先側に引き出してゆくと、まず、元竿８１の嵌合雌部Ｘのストレート雌部９０にゴムリング９４が接触する（図１３参照）。ストレート雌部９０は軸長方向において内径の変化しない領域であり、中竿８２の引き出しに伴い連続的に比較的低廉な嵌着力が演出される。また、このストレート雌部９０には割りが形成されており径方向の弾性乃至寸法吸収性が向上されており、スムーズにゴムリング９４はストレート雌部９０に嵌着乃至当接して摺動する。その後、元竿８１の嵌合雌部Ｘのテーパ雌部９１と嵌合雄部Ｙの竿元側部分９３とが接触し、両者のテーパが一致した状態で、両者が十分な嵌合力を演出する（図１２参照）。
【００５９】
一方、元竿８１内に中竿８２を収納して両者の嵌着を解除する際には、逆に、まず元竿８１の嵌合雌部Ｘのテーパ雌部９１と嵌合雄部Ｙの竿元側部分９３との接触が解除される。その際にも、嵌合雄部Ｙのゴムリング９４は嵌合雌部Ｘのストレート雌部９０に嵌着乃至当接しており、スムーズに両竿体は摺動し、比較的低廉な嵌着力を演出している。
【００６０】
［第７実施形態］
さらに、本発明に係る別の元竿１０１と中竿１０２とについて、図１４及び図１５を参照しつつ説明する。
【００６１】
元竿１０１は全体として穂先側が小径化するようなテーパの施された管状体である。その穂先側の内周面は、第１実施形態と同様に、中竿１０２との連結のための嵌合雌部Ｘとなっている。詳しくは、嵌合雌部Ｘは、元竿１０１の穂先側端縁から竿元側ほどその内径において太径化するテーパ雌部１１０と、テーパ雌部１１０の竿元側に連続して形成されているストレート雌部１１１とからなる。ストレート雌部１１１は軸長方向においてその径が変化しない部分である（このような元竿１０１の製法については、上記第１実施形態に関する説明を参照）。
【００６２】
図１５に示すように、中竿１０２も全体として先細りテーパの施された管状体である。その竿元側端部の外周には嵌合雄部Ｙが形成されている。嵌合雄部Ｙは、他の部分に比較して一段太径化した部分である（このような嵌合雄部Ｙの製法に関しても上記第１実施形態に関する説明を参照）。
【００６３】
この嵌合雄部Ｙは、詳しくは、穂先側に形成されるテーパ雌部１１０に嵌着可能なテーパ雄部１１３と、テーパ雄部１１３に隣接して形成されストレート雌部１１１に嵌着可能なストレート部分１１４とからなる。テーパ雄部１１３のテーパ率は上述のテーパ雌部１１０のものと合致するように調整されている。ストレート部分１１４はその外径をストレート雌部１１１の内径よりやや小さくなるように調整されており、軸長方向において径の変化しない部分である。
【００６４】
この嵌合雄部Ｙのストレート部分１１４の竿元側端部（即ち、中竿１０２の竿元側端部）には、その竿元側端縁から軸長方向に割りが周方向に並んで複数箇所に形成されている。この割りは、中竿１０２の竿元側端縁を波形に削って形成される。詳しくは、穂先側に凹入する割りが、この中竿１０２の竿元側端縁に周方向に間隔を隔てつつ２〜４つ程度形成されている。個々の割りは波形になだらかにカーブを描きながら周方向に並んで形成されている。凹入する割りの軸長方向における深さは、５〜１０ｍｍ程度である。このように凹入する割りは、上記実施形態において説明したような手法で中竿１０２を製造した後に、その竿元側の周面を削って形成することができる。
【００６５】
また、嵌合雄部Ｙのストレート部分１１４の周面の上述のように形成されている波形の割りの間には、弾性ゴム塗料がディッピングされて楕円型の弾性体１１５が形成されている。このようにディッピングされている弾性体１１５の高さは0.01〜0.15ｍｍ程度である。弾性体１１５をも含めたストレート部分１１４の最大外径は、上述のストレート雌部１１１の内径と同様に、若しくはストレート雌部１１１の内径よりやや大きくなるように設定する。この弾性体１１５はその素材の弾性により径方向に出入可能であり、弾性体１１５がストレート雌部１１１に当接乃至嵌着する。
【００６６】
以上のような釣竿は、元竿１０１の内部に収納される中竿１０２やその他の竿体を順次穂先側に引き出し、各竿体の嵌合雌部Ｘと嵌合雄部Ｙとを嵌着させて、一本の釣竿として用いられることになる。このような各竿体の連結時においては、各連結部分は以下のようになっている。例えば、中竿１０２を元竿１０１の穂先側に引き出してゆくと、まず、元竿１０１の嵌合雌部Ｘのストレート雌部１１１と嵌合雄部Ｙのストレート部分１１４の周面にディッピングされた弾性体１１５とが接触する。弾性体１１５はストレート部分１１４の割りの間の周面に塗布されており、その素材自体の弾性と割りとによって径方向の弾性乃至寸法吸収性が向上されており、スムーズに弾性体１１５はストレート雌部１１１に嵌着乃至当接して摺動する。その後、元竿１０１の嵌合雌部Ｘのテーパ雌部１１０と嵌合雄部Ｙのテーパ雄部１１３とが接触し、両者のテーパが一致した状態で、両者が十分な嵌合力を演出する。
【００６７】
一方、元竿１０１内に中竿１０２を収納して両者の嵌着を解除する際には、逆に、まず元竿１０１の嵌合雌部Ｘのテーパ雌部１１０と嵌合雄部Ｙのテーパ雄部１１３との接触が解除される。その際にも、嵌合雄部Ｙの弾性体１１５は嵌合雌部Ｘのストレート雌部１１１に嵌着乃至当接しており、スムーズに両竿体は摺動し、比較的低廉な嵌着力を演出している。
【００６８】
［第８実施形態］
中竿の嵌合雄部Ｙのさらに別の変形例を図１６に示す。
【００６９】
図１６に示すように、中竿１２２も全体として先細りテーパの施された管状体である。その竿元側端部の外周には嵌合雄部Ｙが形成されている。嵌合雄部Ｙは、他の部分に比較して一段太径化した部分である。そして、この嵌合雄部Ｙも、穂先側に形成されるテーパ雄部１２３と、テーパ雄部１２３に隣接して形成されたストレート部分１２４とからなる（その製造方法については、第１実施形態を参照）。
【００７０】
このストレート部分１２４には、その周面に複数のゴム系塗装が施されて弾性体１２５が形成されている。弾性体１２５は、まず、ストレート部分１２４の竿元側後端近傍に周方向に間隔を隔てつつ並んで形成され、第１弾性体群Ｆを構成している。第１弾性体群Ｆを形成する弾性体１２５は、周方向に等間隔に４〜６個ほど並んでいる。そして、第１弾性体群Ｆから軸長方向において穂先側に変位したストレート部分１２４の周面にも、さらに別の弾性体１２５が周方向に並んで形成されており、第２弾性体群Ｓが構成されている。第２弾性体群Ｓを構成する弾性体１２５も、周方向に等間隔に４〜６個ほど並んでいる。もっとも、図１６に示すように、第１弾性体群Ｆを構成する弾性体１２５と第２弾性体群Ｓを構成する弾性体１２５とは、周方向においてはそれぞれ変位している。即ち、第１弾性体群Ｆを構成する弾性体１２５の周方向における間の位置に、第２弾性体群Ｓを構成する弾性体１２５が配置されている。
【００７１】
例えば、このような弾性体１２５を形成するための塗装は、エポキシ樹脂，ウレタン樹脂等のような塗料より行われる。ディッピング、シールによる貼り付けなどその手法は任意に選択可能である。塗装される小円型の部分の高さは0.01〜0.15ｍｍ程度である。金属系の塗料を用いれば意匠性にも優れたものとなる。なお、図１６に示すように、個々の弾性体１２５は、穂先側ほど幅狭で竿元側ほど幅広になるような、略三角形状とするのが好ましい。
【００７２】
このようにストレート部分１２４に弾性体１２５を形成し、この弾性体１２５を利用すると、元竿のストレート雌部と弾性体１２５との接触面積が小さくなり、スムーズに両竿体は摺動し、比較的低廉な嵌着力を演出できる。また、ゴム系の塗料を利用すれば、さらに寸法吸収性にも優れる。また、図１６に示すように、弾性体１２５をストレート部分１２４の周面に配置すると、弾性体１２５と元竿との間に不当なきしみ音等が発生しにくくなる。
【図面の簡単な説明】
【００７３】
【図１】本発明の第１実施形態に係る釣竿を示した図。
【図２】図１の釣竿の元竿１と中竿２との連結部分を示した図（完全に両者が嵌着した状態）。
【図３】図１の釣竿の元竿１と中竿２との連結部分を示した図（両者が緩やかに嵌着乃至当接している状態）。
【図４】図１の元竿１の製造工程を示した図。
【図５】第２実施形態に係る中竿２２の竿元側を示した図。
【図６】第３実施形態に係る中竿の竿元側を示した図。
【図７】図６のVII-VII断面図。
【図８】第４実施形態に係る元竿５１の穂先側の断面図。
【図９】図８のIX-IX断面図。
【図１０】図８の元竿５１の製造工程を示した図。
【図１１】本発明の第５実施形態に係る中竿７２を示した図。
【図１２】本発明の第６実施形態に係る元竿８１と中竿８２との連結部分を示した図（完全に両者が嵌着した状態）。
【図１３】本発明の第６実施形態に係る元竿８１と中竿８２との連結部分を示した図（両者が緩やかに嵌着乃至当接している状態）。
【図１４】本発明の第７実施形態に係る元竿１０１と中竿１０２との連結部分を示した図。
【図１５】図１４の中竿１０２の参考図。
【図１６】本発明の第８実施形態に係る中竿１２２の竿元側を示した図。
【符号の説明】
【００７４】
１，５１，８１，１０１  元竿
２，２２，７２，８２，１０２，１２２  中竿
１０，６０，９１テーパ雌部
１１，９０ストレート雌部
１３，７３，９３  テーパ雄部
１４，７４，９２  ストレート部分
６１  テーパ面部分
６２  ストレート面部分（ストレート雌部）
７５，９４  ゴムリング
１１５  弾性体
Ｘ  嵌合雌部
Ｙ  嵌合雄部
【図１】
2005261336.tif 000003
【図２】
2005261336.tif 000004
【図３】
2005261336.tif 000005
【図４】
2005261336.tif 000006
【図５】
2005261336.tif 000007
【図６】
2005261336.tif 000008
【図７】
2005261336.tif 000009
【図８】
2005261336.tif 000010
【図９】
2005261336.tif 000011
【図１０】
2005261336.tif 000012
【図１１】
2005261336.tif 000013
【図１２】
2005261336.tif 000014
【図１３】
2005261336.tif 000015
【図１４】
2005261336.tif 000016
【図１５】
2005261336.tif 000017
【図１６】
2005261336.tif 000018
【手続補正書】
【提出日】平成16年3月22日(2004.3.22)
【手続補正１】
【補正対象書類名】図面
【補正対象項目名】全図
【補正方法】変更
【補正の内容】
【図１】
2005261336.tif 000019
【図２】
2005261336.tif 000020
【図３】
2005261336.tif 000021
【図４】
2005261336.tif 000022
【図５】
2005261336.tif 000023
【図６】
2005261336.tif 000024
【図７】
2005261336.tif 000025
【図８】
2005261336.tif 000026
【図９】
2005261336.tif 000027
【図１０】
2005261336.tif 000028
【図１１】
2005261336.tif 000029
【図１２】
2005261336.tif 000030
【図１３】
2005261336.tif 000031
【図１４】
2005261336.tif 000032
【図１５】
2005261336.tif 000033
【図１６】
2005261336.tif 000034